Podtech/llm-jp-corpus-v4-ja_patent huggingface dataset:
【手続補正書】
【提出日】平成28年11月28日(2016.11.28)
【手続補正１】
【補正対象書類名】明細書
【補正対象項目名】０００７
【補正方法】変更
【補正の内容】
【０００７】
本発明のインクジェット記録ヘッドの検査装置は、吐出口列を形成する複数の吐出口からインクを吐出可能なインクジェット記録ヘッドの検査装置であって、前記複数の吐出口を複数のブロックに分けて、前記複数の吐出口からのインクの吐出タイミングを前記ブロック毎にずらすように前記インクジェット記録ヘッドを時分割駆動することにより、記録媒体に所定の検査パターンを記録する制御手段と、前記記録媒体に記録された前記検査パターンを読み取る読み取り手段と、前記読み取り手段によって読み取った前記検査パターンの画像データを画像処理して、前記吐出口から吐出されるインクによって前記記録媒体に形成されるドットの位置ずれ量を取得する取得手段と、取得手段により取得した前記ドットの位置ずれ量を前記ブロック毎に補正する補正手段と、を備えることを特徴とする。
【手続補正２】
【補正対象書類名】特許請求の範囲
【補正対象項目名】全文
【補正方法】変更
【補正の内容】
【特許請求の範囲】
【請求項１】
吐出口列を形成する複数の吐出口からインクを吐出可能なインクジェット記録ヘッドの検査装置であって、
前記複数の吐出口を複数のブロックに分けて、前記複数の吐出口からのインクの吐出タイミングを前記ブロック毎にずらすように前記インクジェット記録ヘッドを時分割駆動することにより、記録媒体に所定の検査パターンを記録する制御手段と、
前記記録媒体に記録された前記検査パターンを読み取る読み取り手段と、
前記読み取り手段によって読み取った前記検査パターンの画像データを画像処理して、前記吐出口から吐出されるインクによって前記記録媒体に形成されるドットの位置ずれ量を取得する取得手段と、
取得手段により取得した前記ドットの位置ずれ量を前記ブロック毎に補正する補正手段と、
を備えることを特徴とするインクジェット記録ヘッドの検査装置。
【請求項２】
前記取得手段は、前記記録されるドットの重心点と、理想的な格子点と、の位置関係から、前記ドットの位置ずれ量を取得し、
前記理想的な格子点は、前記複数の吐出口から吐出されるインクによって形成される複数のドットの位置がｘ方向およびｙ方向において一定となる条件において、前記複数のドットの位置の誤差が最小となるように最小二乗法により設定した点である
ことを特徴とする請求項１に記載のインクジェット記録ヘッドの検査装置。
【請求項３】
前記補正手段は、前記複数の吐出口に対応する全てのドットの位置ずれ量の平均値と、前記ブロック毎のドットの位置ずれ量の平均値と、の差が０となるように、前記ブロック毎のドットの位置ずれ量を補正することを特徴とする請求項１または２に記載のインクジェット記録ヘッドの検査装置。
【請求項４】
前記補正手段により補正された前記ドットの位置ずれ量に基づいて、前記インクジェット記録ヘッドのインクの吐出状態を判定するための判定手段をさらに備えることを特徴とする請求項１から３のいずれかに記載のインクジェット記録ヘッドの検査装置。
【請求項５】
前記判定手段は、前記補正手段により補正された後の前記複数の吐出口に対応する全てのドットの位置ずれ量の標準偏差と、基準の標準偏差と、の比較結果に基づいて、前記インクジェット記録ヘッドのインクの吐出状態を判定することを特徴とする請求項４に記載のインクジェット記録ヘッドの検査装置。
【請求項６】
前記全てのドットの位置ずれ量の標準偏差は、前記補正手段により補正された後の前記ブロック毎のドットの位置ずれ量の標準偏差の二乗平均値であることを特徴とする請求項５に記載のインクジェット記録ヘッドの検査装置。
【請求項７】
吐出口列を形成する複数の吐出口からインクを吐出可能なインクジェット記録ヘッドの検査方法であって、
前記複数の吐出口を複数のブロックに分けて、前記複数の吐出口からのインクの吐出タイミングを前記ブロック毎にずらすように前記インクジェット記録ヘッドを時分割駆動することにより、記録媒体に所定の検査パターンを記録する記録工程と、
前記記録媒体に記録された前記検査パターンを読み取る読み取り工程と、
前記読み取り手段によって読み取った前記検査パターンの画像データを画像処理して、前記吐出口から吐出されるインクによって前記記録媒体に形成されるドットの位置ずれ量を取得する取得工程と、
取得手段により取得した前記ドットの位置ずれ量を前記ブロック毎に補正する補正工程と、
を含むことを特徴とするインクジェット記録ヘッドの検査方法。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
対価の支払いに応じて、ゲームの１プレイに係る処理を実行するゲーム装置であって、
対価の支払いがなされたことを検出する検出手段と、
前記検出手段により対価の支払いがなされたことが検出されたことに応じて、前記１プレイに係る処理を実行する実行手段と、
印刷媒体から読み取られた媒体情報に基づいて、前記１プレイに係るゲームに登場させる第１の種別のゲーム要素を登録する登録手段と、
前記実行手段による前記１プレイに係る処理の実行後、該１プレイにおけるゲーム進行中に登場した印刷対象となる複数の前記第１の種別のゲーム要素のうちの１つを選択可能とする選択手段と、
前記選択手段により選択された１つの前記第１の種別のゲーム要素が、前記媒体情報に基づいて登録されたか否かを判断する第１の判断手段と、
前記１つの第１の種別のゲーム要素を印刷媒体に印刷して排出する排出手段と、を有し、
前記１つの第１の種別のゲーム要素は、前記媒体情報に基づいて登録された場合と、前記媒体情報に基づいて登録されていない場合とで、前記１プレイに係るゲームにおける取り扱いが異なるゲーム装置。
【請求項２】
前記１つの第１の種別のゲーム要素が前記媒体情報に基づいて登録された場合、当該ゲーム要素は、前記１プレイにおけるゲーム進行に応じて成長させた状態として取り扱われる請求項１に記載のゲーム装置。
【請求項３】
前記排出手段は、前記成長させた状態の前記１つの第１の種別のゲーム要素を印刷媒体に印刷して排出する請求項２に記載のゲーム装置。
【請求項４】
前記１つの第１の種別のゲーム要素が、前記媒体情報に基づいて登録されていない場合、当該ゲーム要素のタイプの選択を受け付ける手段をさらに有する請求項１乃至３のいずれか１項に記載のゲーム装置。
【請求項５】
前記排出手段は、選択を受け付けられたタイプにて前記１つの第１の種別のゲーム要素を印刷媒体に印刷して排出する請求項４に記載のゲーム装置。
【請求項６】
前記１プレイにおけるゲーム進行に応じて付与された、前記第１の種別とは異なる第２の種別のゲーム要素に対する操作がなされたか否かを判断する第２の判断手段をさらに有し、
前記排出手段は、前記第２の判断手段により前記第２の種別のゲーム要素に対する操作がなされたと判断された場合、前記１つの第１の種別のゲーム要素に当該第２の種別のゲーム要素を関連付けて印刷媒体を排出する請求項１乃至５のいずれか１項に記載のゲーム装置。
【請求項７】
前記排出手段は、前記関連付けた前記第２の種別のゲーム要素を前記１つの第１の種別のゲーム要素に合成した態様の新たな前記第１の種別のゲーム要素を印刷媒体に印刷して排出する請求項６に記載のゲーム装置。
【請求項８】
前記１プレイにおけるゲーム進行を評価する評価手段をさらに有し、
前記１プレイに係る処理に対して前記排出手段が排出可能な印刷媒体の数は、前記評価手段によるゲーム進行の評価結果に応じて変化する請求項１乃至７のいずれか１項に記載のゲーム装置。
【請求項９】
前記ゲームは、前記１プレイを行うプレイヤが操作する前記第１の種別のゲーム要素で構成される第１のチームと、前記１プレイにおいて対戦する前記第１の種別のゲーム要素で構成される第２のチームとの対戦により進行し、
前記印刷対象となる前記複数の第１の種別のゲーム要素は、前記第１のチーム及び前記第２のチームに属するゲーム要素である
ことを特徴とする請求項１乃至８のいずれか１項に記載のゲーム装置。
【請求項１０】
前記ゲームは、他のプレイヤにより操作される前記第２のチームとの対戦を行う第１のモードと、他のプレイヤの操作を受け付けることなく前記実行手段により動作が制御された前記第２のチームとの対戦を行う第２のモードとを有し、
前記選択手段は、前記１プレイが前記第１のモードで行われた場合に、前記第２のチームに属する前記第１の種別のゲーム要素を前記印刷対象となる前記複数の第１の種別のゲーム要素から除外する
ことを特徴とする請求項９に記載のゲーム装置。
【請求項１１】
印刷装置と印刷媒体の排出機構を有するコンピュータを、請求項１乃至１０のいずれか１項に記載のゲーム装置の各手段として機能させるためのプログラム。
【手続補正２】
【補正対象書類名】明細書
【補正対象項目名】０００４
【補正方法】変更
【補正の内容】
【０００４】
特許文献１に示される従来のゲーム機では、遊技者が行ったゲームに係る遊技データがカードに印字されるが、このような遊技データの内容は成績状況や上達の度合い等であってバリエーションが少なく、興趣性の観点でプレイヤ（遊技者）のニーズを満たしていない可能性があった。またカードに印字される遊技データは成績を出力する側面が強く、ゲーム機でのゲームプレイについて、カードを用いることによる興趣性を高めるものではなかった。
【手続補正３】
【補正対象書類名】明細書
【補正対象項目名】０００５
【補正方法】変更
【補正の内容】
【０００５】
本発明は、上述の問題点に鑑みてなされたものであり、印刷排出した媒体を用いた、興趣性の高いゲームプレイを提供可能なゲーム装置及びプログラムを提供することを目的とする。
【手続補正４】
【補正対象書類名】明細書
【補正対象項目名】０００６
【補正方法】変更
【補正の内容】
【０００６】
前述の目的を達成するために、本発明のゲーム装置は、以下の構成を備えることを特徴とする。具体的にはゲーム装置は、対価の支払いに応じて、ゲームの１プレイに係る処理を実行するゲーム装置であって、対価の支払いがなされたことを検出する検出手段と、検出手段により対価の支払いがなされたことが検出されたことに応じて、１プレイに係る処理を実行する実行手段と、印刷媒体から読み取られた媒体情報に基づいて、１プレイに係るゲームに登場させる第１の種別のゲーム要素を登録する登録手段と、実行手段による１プレイに係る処理の実行後、該１プレイにおけるゲーム進行中に登場した印刷対象となる複数の第１の種別のゲーム要素のうちの１つを選択可能とする選択手段と、選択手段により選択された１つの第１の種別のゲーム要素が、媒体情報に基づいて登録されたか否かを判断する第１の判断手段と、１つの第１の種別のゲーム要素を印刷媒体に印刷して排出する排出手段と、を有し、１つの第１の種別のゲーム要素は、媒体情報に基づいて登録された場合と、媒体情報に基づいて登録されていない場合とで、１プレイに係るゲームにおける取り扱いが異なる。
【手続補正５】
【補正対象書類名】明細書
【補正対象項目名】０００７
【補正方法】変更
【補正の内容】
【０００７】
このような構成により本発明によれば、印刷排出した媒体を用いた、興趣性の高いゲームプレイを提供することが可能になる。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
用紙が載置される載置台（１０）と、該載置台（１０）の一側部に設けられた用紙加工具（４０）と、を含んで構成された用紙加工機（１）であって、
前記載置台（１０）の上面を、磁力に吸着可能な載置面（１１）によって構成すると共に、
表面部（５１）に磁力を有する材料を設けた補助台（５０）を、前記載置台（１０）の他側部に回動可能に取り付け、前記載置面（１１）と略同一高さの開放位置から回動させることで、該載置面（１１）に密着されるように構成したことを特徴とする用紙加工機。
【請求項２】
前記補助台（５０）の表面に、上下面に磁石（６０）を配した位置決め器具（６１）を載置することで、前記表面部（５１）を構成したことを特徴とする請求項１に記載の用紙加工機。
【手続補正２】
【補正対象書類名】明細書
【補正対象項目名】０００９
【補正方法】変更
【補正の内容】
【０００９】
この場合、前記補助台の表面に、上下面に磁石を配した位置決め器具を載置することで、前記表面部を構成してもよい。
【手続補正３】
【補正対象書類名】明細書
【補正対象項目名】００１２
【補正方法】変更
【補正の内容】
【００１２】
請求項２に係る用紙加工機は、補助台の表面に、上下面に磁石を配した位置決め器具を載置したので、不使用時に、補助台と載置台を一体化させるための器具を、使用時には、位置合わせをした用紙を載置面上に固定させるための器具として利用することができる。
【手続補正４】
【補正対象書類名】明細書
【補正対象項目名】００１３
【補正方法】削除
【補正の内容】
【手続補正書】
【提出日】平成28年12月6日(2016.12.6)
【手続補正１】
【補正対象書類名】明細書
【補正対象項目名】００３０
【補正方法】変更
【補正の内容】
【００３０】
そこで切断位置調整用パターンを記載し、パターン上を切断することで、切断位置のずれ量を求める方法がある。図３(Ｂ)〜（Ｄ）はその一例を示す。これらは記録媒体を上から見た図である。破線８４は切断ユニットの実際の切断位置を示している。
【手続補正２】
【補正対象書類名】明細書
【補正対象項目名】００３１
【補正方法】変更
【補正の内容】
【００３１】
まず、図３（Ｂ）に示すように、キャリッジ８３の動作により四角いパターン８５、８６、８７の３つが記録される。続いて、記録媒体を矢印８８で示す搬送量だけ搬送し、パターン８５、８６、８７を破線８４上に位置させる。矢印８８で示す搬送量は、制御上の搬送量である。搬送誤差が無く、かつ、構造誤差も無ければ、パターン８６の真ん中がちょうど切断されることになる。
【手続補正３】
【補正対象書類名】明細書
【補正対象項目名】００３２
【補正方法】変更
【補正の内容】
【００３２】
図３（Ｃ）及び図３（Ｄ）はいずれもパターン８６の真ん中が切断されておらず、切断位置がずれている。図３（Ｃ）の例では、パターン１つ分、下流側にずれている。また、図３（Ｄ）の例では、パターン１つ分、上流側にずれている。したがって、このずれ量だけ、搬送量を補正すれば、切断位置のずれを補正することは可能である。しかし、切断位置のずれの要因は不明である。切断ユニット１４の取付誤差等の構造誤差なのか、搬送ユニット１１の搬送誤差なのか、両者なのか、不明である。
【手続補正４】
【補正対象書類名】明細書
【補正対象項目名】００３５
【補正方法】変更
【補正の内容】
【００３５】
また、ロール紙は、巻き量や幅等によって重量が大きく異なる。残量の少ないロール紙を新しいロール紙に交換すると急激に重量が変化する。搬送ローラも経年劣化によって回転が重くなる場合もある。このような場合、モータを１００パルス分駆動すると記録媒体が５０mmしか搬送されない場合もある。
【手続補正５】
【補正対象書類名】明細書
【補正対象項目名】００３６
【補正方法】変更
【補正の内容】
【００３６】
また、例えば、１個のロール紙の使い始めから終わりまでの切断位置の許容誤差を、上流側、下流側にそれぞれパターン１つ分以内とする場合を想定する。図３（Ｃ）の場合を誤差−１とし、図３（Ｄ）の場合を誤差＋１と考える。搬送特性上、ロール紙の使い始めで図３（Ｃ）のように誤差が−１であり、使い終わりで図３（Ｄ）のように誤差が＋１であるとすると、許容誤差範囲内の搬送が実現できたことになる。
【手続補正６】
【補正対象書類名】明細書
【補正対象項目名】００３７
【補正方法】変更
【補正の内容】
【００３７】
構造誤差が無いと仮定して、ロール紙の使い始めの状態である、図３（Ｃ）の切断位置のずれを補正する場合を考える。図３（Ｃ）の例では、パターン１つ分、切断位置が下流側にずれているので、上流側にパターン１つ分補正すれば、切断位置のずれが一旦は補正される。しかし、このままロール紙を使い切ると、下流側にパターン２つ分、切断位置がずれることになる。この結果、切断位置の許容誤差範囲を逸脱してしまう。
【手続補正７】
【補正対象書類名】明細書
【補正対象項目名】００６８
【補正方法】変更
【補正の内容】
【００６８】
Ｓ４では、切断ユニット１４による記録媒体ＰＭの切断と、指標３０の記録とを行う。図５（Ａ）を参照して説明したように、切断ユニット１４の切断位置１７から３０mmの位置になる257番目のノズルで指標３０の記録を行う。記録媒体ＰＭを搬送しないので、キャリッジ１２を１スキャンだけでなく複数スキャンして濃度を上げるてもよい。
【手続補正８】
【補正対象書類名】明細書
【補正対象項目名】００９０
【補正方法】変更
【補正の内容】
【００９０】
Ｓ２５〜Ｓ３３の処理は図６のＳ３〜Ｓ１０の処理と同様の処理である。Ｓ２６では、記録媒体の搬送を停止し、Ｓ２７の処理が完了するまでは記録媒体ＰＭの搬送動作は行わない。Ｓ２７では、切断ユニット１４による記録媒体ＰＭの切断と、指標４６の記録とを行う。Ｓ２８では記録媒体ＰＭの搬送停止を解除して、搬送可能とする。Ｓ２９ではユーザ補助情報を記録媒体ＰＭに記録する。その後、記録媒体ＰＭを搬送して、記録媒体ＰＭを切断する。
【手続補正９】
【補正対象書類名】明細書
【補正対象項目名】０１０５
【補正方法】変更
【補正の内容】
【０１０５】
図９（Ｃ）は検出ユニット１３により切断端５２の位置を読み取る部分を拡大した図である。切断端５２の位置はある程度予測がつく。位置取得パターン５１付近の先端を読み取る位置よりも図中やや左に来る位置へ、予めキャリッジ１２を移動させる。
【手続補正１０】
【補正対象書類名】明細書
【補正対象項目名】０１１５
【補正方法】変更
【補正の内容】
【０１１５】
＜第４実施形態＞
第２及び第３実施形態で説明した位置取得パターンは、Ｘ方向で、記録ユニット５と切断ユニット１４の距離よりも長い範囲に記録する必要がある。記録ユニット５と切断ユニット１４の距離がノズル長Ｎ１を超える場合、記録媒体ＰＭを搬送する必要が生じる。つまり、位置取得パターンを複数回に分けて記録し、各回に記録媒体ＰＭを搬送する必要がある。このときに搬送誤差が問題となる。そこで、各回のパターンの記録範囲をＸ方向に重なるように記録媒体ＰＭを搬送することで、搬送誤差が分るようにする。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
作業ツールを複数のワークが設置されたポイントに移動させ、各ワークが設置されたポ
イントで指定された処理を行うロボットにおいて、
前記作業ツールを移動させるポイントを記憶するポイント列記憶部と、
前記作業ツールに作業を実行させる作業命令を記憶する作業命令列記憶部と、
前記各ポイントにおけるワーク補正量と、前記各ポイントのパラメータとを関連付けて
記憶するワーク補正量記憶部と、
前記パラメータに反映させるカウンタの値を記憶するワーク補正カウンタ記憶部と、
を備えることを特徴とするロボット。
【請求項２】
前記ワーク補正カウンタ記憶部は、前記ワーク補正量記憶部にワーク補正量が記憶され
る毎にカウンタの値を１つ増やすと共に、前記ワーク補正量記憶部からワーク補正量が読
み出される毎にカウンタの値を１つ増やすことを特徴とする請求項１に記載のロボット。
【請求項３】
前記ワーク補正カウンタ記憶部は、記憶するカウンタの値を０にする手段を有すること
を特徴とする請求項１または請求項２に記載のロボット。
【請求項４】
作業ツールを複数のワークが設置されたポイントに移動させ、各ワークが設置されたポ
イントで指定された処理を行うロボットの制御方法において、
前記作業ツールを移動させるポイントを記憶するポイント列記憶処理と、
前記作業ツールに作業を実行させる作業命令を記憶する作業命令列記憶処理と、
前記各ポイントにおけるワーク補正量を、前記各ポイントのパラメータと関連付けて記
憶するワーク補正記憶処理と、
前記パラメータに反映させるカウンタの値を記憶し、前記ワーク補正量が記憶される毎
にカウントの値を１つ増やす処理と、ワーク補正量記憶部からワーク補正量が読み出され
る毎にカウンタの値を１つ増やす処理とを行うワーク補正カウンタ記憶処理と、
を実行させることを特徴とするロボットの制御方法。
【請求項５】
作業ツールを複数のワークが設置されたポイントに移動させ、各ワークが設置されたポ
イントで指定された処理を行うロボットの制御プログラムにおいて、
前記プログラムは、前記ロボットを制御するコンピュータに対して、
前記ワークが設置されたポイントを記憶するポイント列記憶処理と、
前記ワークが設置されたポイントで実行する作業命令を記憶する作業命令列記憶処理と
、
前記各ポイントにおけるワーク補正量を、各ワークが設置されたポイントのパラメータ
と関連付けて記憶するワーク補正記憶処理と、
前記パラメータに反映させるカウンタの値を記憶し、ワーク補正量が記憶される毎にカ
ウントの値を１つ増やす処理と、ワーク補正量記憶部からワーク補正量が読み出される毎
にカウンタの値を１つ増やす処理とを行うワーク補正カウンタ記憶処理と、
を実行させることを特徴とするロボットの制御プログラム。
【手続補正２】
【補正対象書類名】明細書
【補正対象項目名】０００３
【補正方法】変更
【補正の内容】
【０００３】
ポイントにおける処理を主体とするロボットにおいて、あるポイントにおいて特定の処理を実行させる場合には、その処理の前に処理対象であるワークの位置を撮影し、これを元にワークの補正位置の計算を行い、補正した位置で処理を実行させることは良く行われている。特定の処理としては、ワークに対する塗布やねじ締め、半田付けなどの作業がある。
【手続補正３】
【補正対象書類名】図面
【補正対象項目名】図７
【補正方法】変更
【補正の内容】
【図７】
2015116655.tif 000001
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
互いに直交する長手方向と幅方向と厚さ方向とを有した吸収性物品であって、
着用対象者の肌と当接する液透過性のトップシートと、
前記トップシートの前記厚さ方向の非肌側面に当接して配された液透過性シートと、を有し、
前記トップシートには、抗菌剤が含まれており、
前記液透過性シートにも、抗菌剤が含まれていることを特徴とする吸収性物品。
【請求項２】
請求項１に記載の吸収性物品であって、
前記トップシートに含まれる前記抗菌剤の量の方が、前記液透過性シートに含まれる前記抗菌剤の量よりも多いことを特徴とする吸収性物品。
【請求項３】
請求項１又は２に記載の吸収性物品であって、
前記トップシートに含まれる前記抗菌剤と、前記液透過性シートに含まれる前記抗菌剤とは、互いに同種の抗菌剤であることを特徴とする吸収性物品。
【請求項４】
請求項１乃至３の何れかに記載の吸収性物品であって、
前記液透過性シートよりも前記厚さ方向の非肌側には、液体を吸収する吸収性コアが配されており、
前記吸収性コアにも抗菌剤が含まれていることを特徴とする吸収性物品。
【請求項５】
請求項１乃至４の何れかに記載の吸収性物品であって、
前記トップシートにおける前記幅方向の各端部には、前記抗菌剤が存在しない非存在領域が形成されていることを特徴とする吸収性物品。
【請求項６】
請求項５に記載の吸収性物品であって、
前記トップシートの前記端部に前記厚さ方向の肌側から重ねられつつ前記端部よりも前記幅方向の外側に突出して設けられたサイドシートを有し、
前記トップシート及び前記サイドシートは、共に繊維で形成されているとともに、前記サイドシートは、前記トップシートの前記端部に圧着された部分を有していることを特徴とする吸収性物品。
【請求項７】
請求項１乃至６の何れかに記載の吸収性物品であって、
前記液透過性シートは、当該液透過性シートの素材色と色違いに着色された着色部分を有し、
前記着色部分は、前記トップシートを透かして前記厚さ方向の前記トップシート側から視認可能に設けられていることを特徴とする吸収性物品。
【請求項８】
請求項１乃至７の何れかに記載の吸収性物品であって、
前記液透過性シートの前記厚さ方向の非肌側面に当接して、液体を吸収する吸収性コアと、
前記吸収性コアの前記厚さ方向の非肌側面に当接する第２シートと、
前記トップシートと前記液透過性シートと前記吸収性コアと前記第２シートとが一緒に前記厚さ方向の肌側から圧搾形成された圧搾部と、を有し、
前記圧搾部には、抗菌剤が存在していることを特徴とする吸収性物品
【請求項９】
請求項８に記載の吸収性物品であって、
前記液透過性シート及び前記第２シートは、それぞれ、繊維で形成されており、
前記圧搾部において前記液透過性シートの繊維密度（ｇ／ｃｍ3）と前記第２シートの繊維密度（ｇ／ｃｍ3）とを比較した場合に、前記第２シートの繊維密度の方が大きいこ
とを特徴とする吸収性物品。
【請求項１０】
互いに直交する長手方向と幅方向と厚さ方向とを有するとともに、着用対象者の肌と当接する液透過性のトップシートと、前記トップシートの前記厚さ方向の非肌側面に当接して配された液透過性シートと、を有する吸収性物品の製造方法であって、
前記トップシートの基材シートに抗菌剤を塗布することと、
前記抗菌剤が塗布された前記トップシートの基材シートの前記厚さ方向の非肌側面に前記液透過性シートの基材シートを当接させることと、
前記抗菌剤の一部を前記トップシートの基材シートから前記液透過性シートの基材シートへ移行させることと、を有することを特徴とする吸収性物品の製造方法。
【請求項１１】
請求項１０に記載の吸収性物品の製造方法であって、
前記塗布することにおいては、前記トップシートの基材シートの前記非肌側面に前記抗菌剤を塗布することを特徴とする吸収性物品の製造方法。
【請求項１２】
請求項１０又は１１に記載の吸収性物品の製造方法であって、
前記抗菌剤は液体であり、
前記トップシートの基材シートに塗布された前記抗菌剤が乾燥する前に、前記当接させることを行うことを特徴とする吸収性物品の製造方法。
【請求項１３】
請求項１２に記載の吸収性物品の製造方法であって、
前記当接させることの後で、前記トップシートの基材シートと前記液透過性シートの基材シートとを一緒に前記厚さ方向に押圧することを特徴とする吸収性物品の製造方法。
【請求項１４】
請求項１０乃至１３の何れかに記載の吸収性物品の製造方法であって、
前記当接させることは、前記トップシートの基材シートの搬送路が前記液透過性シートの基材シートの搬送路に合流する合流位置で行われ、
前記トップシートの基材シートの搬送路において前記抗菌剤を塗布する塗布位置よりも搬送方向の上流側の位置には、シートロールから前記トップシートの基材シートを繰り出す繰り出し位置が設定されており、
前記トップシートの基材シートの搬送路における前記塗布位置は、前記繰り出し位置よりも前記合流位置の方に近いことを特徴とする吸収性物品の製造方法。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
描画対象面をなす爪を有する指が挿入され、前記指の前記爪がある領域を含む先端部の全体を露出させる開口部を有する指挿入部と、
前記指挿入部内に配置され、前記指の動きを抑制する指保持部と、
を備え、
前記指保持部は、
前記指挿入部内に挿入された前記指の、前記先端部の幅方向の一方側の側面と対向する位置に配置されて前記一方側の側面を押圧する第１指押圧部と、前記先端部の幅方向の他方側の側面と対向する位置に配置されて前記他方側の側面を押圧する第２指押圧部と、を有することを特徴とする描画装置。
【請求項２】
前記指保持部は、前記爪と反対側の下面における、前記爪がある領域より前記指の付け根側となる領域に対向する位置に配置されて、前記下面を押圧する第３指押圧部を有することを特徴とする請求項１に記載の描画装置。
【請求項３】
前記第１指押圧部、前記第２指押圧部及び前記第３指押圧部は、流体が供給されることによって膨らみ、供給された前記流体が排出されることにより萎む構造を有し、
前記流体が供給されて膨らんだときに前記指を押圧して前記指の動きを抑制し、前記流体が排出されて萎んだときに、前記押圧を解除して前記抑制を解除することを特徴とする請求項２に記載の描画装置。
【請求項４】
前記第１指押圧部、前記第２指押圧部及び前記第３指押圧部のいずれか一つの特定の指押圧部に、前記流体の供給及び排出を行うための流体給排部が設けられ、
前記第１指押圧部、前記第２指押圧部及び前記第３指押圧部から前記特定の指押圧部を除いた残りは、前記特定の指押圧部に流体流路で繋がっていることを特徴とする請求項１又は請求項２に記載の描画装置。
【請求項５】
前記特定の指押圧部は前記第３指押圧部であり、
前記第１指押圧部及び前記第２指押圧部は、それぞれ前記第３指押圧部に対して前記流体流路で繋がっており、
各々の前記流体流路には、少なくとも１つの折り曲げ部予定部が設けられており、
前記流体流路が前記折り曲げ部予定部で折り曲げられることで、前記第１指押圧部及び前記第２指押圧部が前記挿入部内に配置されていることを特徴とする請求項４に記載の描画装置。
【請求項６】
前記特定の指押圧部は前記第３指押圧部であり、
前記第１指押圧部及び前記第２指押圧部は、それぞれ前記第３指押圧部に対して前記流体流路が繋がっており、
各々の前記流体流路には、折り曲げ部予定部が複数箇所以上設けられており、
前記流体流路が前記折り曲げ部予定部で複数回折り曲げられることで、前記第１指押圧部及び前記第２指押圧部が前記指挿入部内に配置されていることを特徴とする請求項４に記載の描画装置。
【請求項７】
前記折り曲げ予定部において前記流体流路が折り曲げられる屈曲角度は、１３５°以上であることを特徴とする請求項６に記載の描画装置。
【請求項８】
前記第１指押圧部及び前記第２指押圧部は、前記指の前記一方及び他方側の側面を押圧したときに、前記指を斜め下方の方向に押圧する位置に設けられていることを特徴とする請求項１から請求項７のいずれか１項に記載の描画装置。
【手続補正２】
【補正対象書類名】明細書
【補正対象項目名】０００８
【補正方法】変更
【補正の内容】
【０００８】
本発明は、以下の構成によって把握される。
本発明の描画装置は、描画対象面をなす爪を有する指が挿入され、前記指の前記爪がある領域を含む先端部の全体を露出させる開口部を有する指挿入部と、前記指挿入部内に配置され、前記指の動きを抑制する指保持部と、を備え、前記指保持部は、前記指挿入部内に挿入された前記指の、前記先端部の幅方向の一方側の側面と対向する位置に配置されて前記一方側の側面を押圧する第１指押圧部と、前記先端部の幅方向の他方側の側面と対向する位置に配置されて前記他方側の側面を押圧する第２指押圧部と、を有することを特徴とする。
【手続補正書】
【提出日】平成29年10月6日(2017.10.6)
【手続補正１】
【補正対象書類名】明細書
【補正対象項目名】０００７
【補正方法】変更
【補正の内容】
【０００７】
前記課題を解決するために、本発明の描画装置は、
幅方向に沿って湾曲形状を有する手又は足の指の爪の表面を描画対象面とし、前記描画対象面に接触して描画を施す描画用具を保持する描画ヘッドと、
前記描画ヘッドを制御する制御部と、
を備え、
前記描画ヘッドは、前記描画用具を、前記描画対象面に接触した第１状態と、前記描画対象面から離間した第２状態とに設定可能であり、
前記制御部は、
前記描画対象面の前記幅方向に沿って互いに離間する第１領域と第２領域とに前記描画を施すときに、
前記描画ヘッドにより前記描画用具を前記第１状態に設定して、前記第１領域と前記第２領域とで、前記描画用具を前記爪の前記幅方向と交差する延在方向に沿って移動させる第１動作と、
前記描画ヘッドにより前記描画用具を前記第２状態に設定して、前記第１領域と前記第２領域の間を移動させる第２動作と、
を行う特定の動作制御を行うことを特徴としている。
【手続補正２】
【補正対象書類名】特許請求の範囲
【補正対象項目名】全文
【補正方法】変更
【補正の内容】
【特許請求の範囲】
【請求項１】
幅方向に沿って湾曲形状を有する手又は足の指の爪の表面を描画対象面とし、前記描画対象面に接触して描画を施す描画用具を保持する描画ヘッドと、
前記描画ヘッドを制御する制御部と、
を備え、
前記描画ヘッドは、前記描画用具を、前記描画対象面に接触した第１状態と、前記描画対象面から離間した第２状態とに設定可能であり、
前記制御部は、
前記描画対象面の前記幅方向に沿って互いに離間する第１領域と第２領域とに前記描画を施すときに、
前記描画ヘッドにより前記描画用具を前記第１状態に設定して、前記第１領域と前記第２領域とで、前記描画用具を前記爪の前記幅方向と交差する延在方向に沿って移動させる第１動作と、
前記描画ヘッドにより前記描画用具を前記第２状態に設定して、前記第１領域と前記第２領域の間を移動させる第２動作と、
を行う特定の動作制御を行うことを特徴とする描画装置。
【請求項２】
前記制御部は、
前記第１動作において、前記描画用具が、前記第１領域において前記延在方向に沿って移動して、前記描画用具が前記第１領域に前記描画を施し、
前記第１領域の前記描画が終了した後、前記第２動作において、前記描画用具が、前記第１領域から前記第２領域に向けて移動し、
前記描画用具の前記第２領域への移動が終了した後、前記第１動作において、前記描画用具が、前記第２領域において前記延在方向に沿って移動して、前記描画用具が前記第２領域に前記描画を施す、ように制御することを特徴とする請求項１に記載の描画装置。
【請求項３】
前記制御部は、
前記描画対象面を、前記爪の前記幅方向の一端側から前記爪の前記幅方向の中心を通る中心線までの第１領域と、前記中心線から前記爪の前記幅方向の他端側までの第２領域と、に分割し、
前記描画対象面に対して、前記爪の前記幅方向の前記一端側から前記他端側に向かう方向に前記描画を施す場合に、
前記第１領域においては、前記特定の動作制御を行うように制御し、
前記第２領域においては、前記特定の動作制御を行わないように制御することを特徴とする請求項１又は請求項２に記載の描画装置。
【請求項４】
前記制御部は、
前記描画対象面を、前記爪の前記幅方向の一端側の第１領域と、前記爪の前記幅方向の他端側の第２領域と、前記第１領域と前記第２領域に挟まれた第３領域と、に分割し、
前記第１領域は、前記爪の前記一端側の縁を含んで、前記爪の湾曲形状に応じて前記爪の前記幅方向の中心を通る中心線より前記一端側に設けられた領域であり、
前記第２領域は、前記爪の前記他端側の縁を含んで、前記爪の湾曲形状に応じて前記中心線より前記他端側に設けられた領域であり、
前記描画対象面に対して、前記爪の前記幅方向の前記一端側から前記他端側に向かう方向に前記描画を施す場合に、
前記第１領域においては、前記特定の動作制御を行うように制御し、
前記第２領域及び前記第３領域においては、前記特定の動作制御を行わないように制御することを特徴とする請求項１又は請求項２に記載の描画装置。
【請求項５】
描画装置の描画方法であって、
前記描画装置は、幅方向に沿って湾曲形状を有する手又は足の指の爪の表面を描画対象面とし、前記描画対象面に接触して描画を施す描画用具を保持する描画ヘッドを備え、
前記描画ヘッドは、前記描画用具を、前記描画対象面に接触した第１状態と、前記描画対象面から離間した第２状態とに設定可能であり、
前記描画方法は、
前記描画対象面の前記幅方向に沿って互いに離間する第１領域と第２領域とに前記描画を施すときに、
前記描画ヘッドにより前記描画用具を前記第１状態に設定して、前記第１領域と前記第２領域とで、前記描画用具を前記爪の前記幅方向と交差する延在方向に沿ってのみ移動させる第１動作と、
前記描画ヘッドにより前記描画用具を前記第２状態に設定して、前記第１領域と前記第２領域の間を移動させる第２動作と、
を行う特定の動作制御を行わせることを特徴とする描画装置の描画方法。
【請求項６】
前記第１動作において、前記描画用具が、前記第１領域において前記延在方向に沿って移動して、前記描画用具が前記第１領域に前記描画を施し、
前記第１領域の前記描画が終了した後、前記第２動作において、前記描画用具が、前記第１領域から前記第２領域に向けて移動し、
前記描画用具の前記第２領域への移動が終了した後、前記第１動作において、前記描画用具が、前記第２領域において前記延在方向に沿って移動して、前記描画用具が前記第２領域に前記描画を施すことを特徴とする請求項５に記載の描画装置の描画方法。
【請求項７】
前記描画対象面を、前記爪の前記幅方向の一端側から前記爪の前記幅方向の中心を通る中心線までの第１領域と、前記中心線から前記爪の前記幅方向の他端側までの第２領域と、に分割し、
前記描画対象面に対して、前記爪の前記幅方向の前記一端側から前記他端側に向かう方向に前記描画を施す場合に、
前記第１領域においては、前記特定の動作制御を行わせ、
前記第２領域においては、前記特定の動作制御を行わないように制御することを特徴とする請求項５又は請求項６に記載の描画装置の描画方法。
【請求項８】
前記描画対象面を、前記爪の前記幅方向の一端側の第１領域と、前記爪の前記幅方向の他端側の第２領域と、前記第１領域と前記第２領域に挟まれた第３領域と、に分割し、
前記第１領域は、前記爪の前記一端側の縁を含んで、前記爪の湾曲形状に応じて前記爪の前記幅方向の中心を通る中心線より前記一端側に設けられた領域であり、
前記第２領域は、前記爪の前記他端側の縁を含んで、前記爪の湾曲形状に応じて前記中心線より前記他端側に設けられた領域であり、
前記描画対象面に対して、前記爪の前記幅方向の前記一端側から前記他端側に向かう方向に前記描画を施す場合に、
前記第１領域においては、前記特定の動作制御を行わせ、
前記第２領域及び前記第３領域においては、前記特定の動作制御を行わないように制御することを特徴とする請求項５又は請求項６に記載の描画装置の描画方法。
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
縦方向と横方向と前後方向とを有する吸収性物品であって、
前記縦方向に沿った吸収性本体と、
前記横方向に沿ったベルト部と、を有し、
一対の脚回り開口部が形成されており、
前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、
前記吸収性本体は、
液体を吸収する吸収体と、
前記吸収体よりも肌側に配置された液透過性の肌側シートと、
前記吸収体よりも非肌側に配置された外装シートと、
前記吸収体と前記外装シートとの間に配置された液不透過性の非肌側シートと、を有し、
前記前後方向のうち少なくとも一方側における前記一対の前記接合部の前記横方向の間に、別体シート部材が設けられており、
前記別体シート部材は、前記吸収性本体のうちの前記吸収体が設けられていない領域と重なる部分を有し、
前記別体シート部材は、前記吸収体よりも前記肌側に設けられている
ことを特徴とする吸収性物品。
【請求項２】
請求項１に記載の吸収性物品であって、
前記別体シート部材は、前記吸収性本体に接合されていない非接合部を前記縦方向の下端側に有し、
前記非接合部と前記吸収性本体との間には、前記縦方向の下方に開口する空間が形成されている
ことを特徴とする吸収性物品。
【請求項３】
請求項２に記載の吸収性物品であって、
前記非接合部には、弾性部材が前記横方向に伸長された状態で接合されている
ことを特徴とする吸収性物品。
【請求項４】
縦方向と横方向と前後方向とを有する吸収性物品であって、
前記縦方向に沿った吸収性本体と、
前記横方向に沿ったベルト部と、を有し、
一対の脚回り開口部が形成されており、
前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、
前記吸収性本体は、
液体を吸収する吸収体と、
前記吸収体よりも肌側に配置された液透過性の肌側シートと、
前記吸収体よりも非肌側に配置された外装シートと、
前記吸収体と前記外装シートとの間に配置された液不透過性の非肌側シートと、を有し、
前記前後方向のうち少なくとも一方側における前記一対の前記接合部の前記横方向の間に、別体シート部材が設けられており、
前記別体シート部材は、前記吸収性本体のうちの前記吸収体が設けられていない領域と重なる部分を有し、
前記別体シート部材は、前方側における前記一対の前記接合部の前記横方向の間、及び後方側における前記一対の前記接合部の前記横方向の間に、それぞれ設けられており、
前記前方側の前記別体シート部材及び前記後方側の前記別体シート部材のうちいずれか一方は、前記吸収体よりも前記非肌側に設けられ、他方は、前記吸収体よりも前記肌側に設けられている
ことを特徴とする吸収性物品。
【請求項５】
請求項４に記載の吸収性物品であって、
前記一方の前記別体シート部材は、少なくとも一部に色が付された状態で前記外装シートよりも前記非肌側に設けられており、
前記前方側における前記一対の前記接合部の前記横方向の間の領域の色と前記後方側における前記一対の前記接合部の前記横方向の間の領域の色とが異なっている
ことを特徴とする吸収性物品。
【請求項６】
請求項１〜５のいずれかに記載の吸収性物品であって、
前記吸収性本体のうちの前記吸収体が設けられていない領域は、非伸縮領域である
ことを特徴とする吸収性物品。
【請求項７】
請求項１〜６のいずれかに記載の吸収性物品であって、
前記別体シート部材は、前記一対の接合部によって、前記吸収性本体及び前記ベルト部と一体に接合されている
ことを特徴とする吸収性物品。
【手続補正２】
【補正対象書類名】明細書
【補正対象項目名】０００７
【補正方法】変更
【補正の内容】
【０００７】
上記目的を達成するための主たる発明は、縦方向と横方向と前後方向とを有する吸収性物品であって、前記縦方向に沿った吸収性本体と、前記横方向に沿ったベルト部と、を有し、一対の脚回り開口部が形成されており、前記縦方向の上方側から前記一対の前記脚回り開口部に向かって、前記横方向外側へ傾斜した、少なくとも前記吸収性本体及び前記ベルト部を接合する一対の接合部が、前方及び後方にそれぞれ設けられており、前記吸収性本体は、液体を吸収する吸収体と、前記吸収体よりも肌側に配置された液透過性の肌側シートと、前記吸収体よりも非肌側に配置された外装シートと、前記吸収体と前記外装シートとの間に配置された液不透過性の非肌側シートと、を有し、前記前後方向のうち少なくとも一方側における前記一対の前記接合部の前記横方向の間に、別体シート部材が設けられており、前記別体シート部材は、前記吸収性本体のうちの前記吸収体が設けられていない領域と重なる部分を有し、前記別体シート部材は、前記吸収体よりも前記肌側に設けられていることを特徴とする吸収性物品である。本発明の他の特徴については、本明細書及び添付図面の記載により明らかにする。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
少なくとも１つの指の爪に塗料を塗布する描画部と、
前記指の動きを抑制する抑制力を前記指に加える指抑制部と、
前記爪の位置を認識する認識部と、
前記描画部が前記爪に前記塗布を行っている第１期間、及び、前記認識部が前記爪の位置の認識を行っている第２期間、の少なくとも一方において、前記抑制力を第１の抑制力に設定し、前記爪に塗布された前記塗料を乾燥させている第３期間において、前記抑制力を前記第１の抑制力よりも弱い第２の抑制力に設定する、又は、前記指の動きを抑制しない状態に設定する制御部と、
を備えることを特徴とする描画装置。
【請求項２】
前記制御部は、前記第３期間の少なくとも一部の期間において、前記抑制力を前記第２の抑制力に設定することを特徴とする請求項１に記載の描画装置。
【請求項３】
前記制御部は、前記第２期間に前記抑制力を前記第１の抑制力に設定することを特徴とする請求項１に記載の描画装置。
【請求項４】
前記認識部は、前記抑制力が前記第１の抑制力に設定された後に、前記爪の位置の認識を行うことを特徴とする請求項３に記載の描画装置。
【請求項５】
前記制御部は、前記第１期間及び前記第２期間の全体に亘って、前記抑制力を前記第１の抑制力に設定することを特徴とする請求項１に記載の描画装置。
【請求項６】
前記塗料は、透明性を有する特定の塗料を含まないものであり、
前記制御部は、前記描画部が、前記特定の塗料を前記爪に塗っている第４期間の少なくとも一部において、前記抑制力を、前記第１の抑制力よりも弱く、前記第２の抑制力よりも強い、第３の抑制力に設定することを特徴とする請求項１乃至５のいずれか１項に記載の描画装置。
【請求項７】
前記描画部により前記爪に塗布された前記塗料を乾燥させる乾燥機構を備え、
前記乾燥機構は、前記制御部により、前記第２期間において前記塗料を乾燥させるように制御されることを特徴とする請求項１から請求項６のいずれか１項に記載の描画装置。
【請求項８】
爪を有する少なくとも一つの指の動きを抑制する抑制力を前記対象物に加える指抑制部と、
前記指抑制部を制御する制御部と、
を備え、
前記制御部は、
前記指の移動の許容範囲が第１値である第１期間に、前記抑制力を第１の抑制力に設定し、
前記指の移動の許容範囲が、前記第１値より大きい第２値である第２期間に、前記抑制力を前記第１の抑制力より弱い第２の抑制力に設定する、又は、前記指の動きを抑制しない状態に設定することを特徴とする描画装置。
【請求項９】
前記爪に塗料を塗布して描画を施す描画部と、
前記爪の位置を認識する認識部と、
前記描画部により前記爪に塗布された前記塗料を乾燥させる乾燥機構と、を備え、
前記第１期間は、前記描画部が前記爪に前記塗料の塗布を行っている期間及び前記認識部が前記爪の位置を認識する期間の少なくとも一方を含み、
前記第２期間は、乾燥機構が前記塗料を乾燥させている期間を含むことを特徴とする請求項８に記載の描画装置。
【請求項１０】
描画装置の動作制御方法であって、
前記描画装置は、少なくとも１つの指の爪に塗料を塗布する描画部と、前記指の動きを抑制する抑制力を前記指に加える指抑制部と、前記爪の位置を認識する認識部と、を備え、
前記描画部が前記爪に前記塗布を行っている第１期間、及び、前記認識部が前記爪の位置の認識を行っている第２期間、の少なくとも一方において、前記抑制力を第１の抑制力に設定する工程と、
前記爪に塗布された前記塗料を乾燥させている第３期間において、前記抑制力を、前記第１の抑制力よりも弱い第２の抑制力に設定する、又は、前記指の動きを抑制しない状態に設定する工程と、
を含むことを特徴とする描画装置の動作制御方法。
【請求項１１】
描画装置の動作制御プログラムであって、
前記描画装置は、少なくとも１つの指の爪に塗料を塗布する描画部と、前記指の動きを抑制する抑制力を前記指に加える指抑制部と、前記爪の位置を認識する認識部と、前記指抑制部における前記抑制力を制御する制御部と、を備え、
前記制御部に、
前記描画部が前記爪に前記塗布を行っている第１期間、及び、前記認識部が前記爪の位置の認識を行っている第２期間、の少なくとも一方において、前記抑制力を第１の抑制力に設定させる制御を行う機能と、
前記爪に塗布された前記塗料を乾燥させている第３期間において、前記抑制力を前記第１の抑制力よりも弱い第２の抑制力に設定させる、又は、前記指の動きを抑制しない状態に設定させる制御を行う機能と、を実現させることを特徴とする描画装置の動作制御プログラム。
【手続補正２】
【補正対象書類名】明細書
【補正対象項目名】０００７
【補正方法】変更
【補正の内容】
【０００７】
本発明は、以下の構成によって把握される。
本発明の描画装置は、少なくとも１つの指の爪に塗料を塗布する描画部と、前記指の動きを抑制する抑制力を前記指に加える指抑制部と、前記爪の位置を認識する認識部と、前記描画部が前記爪に前記塗布を行っている第１期間、及び、前記認識部が前記爪の位置の認識を行っている第２期間、の少なくとも一方において、前記抑制力を第１の抑制力に設定し、前記爪に塗布された前記塗料を乾燥させている第３期間において、前記抑制力を前記第１の抑制力よりも弱い第２の抑制力に設定する、又は、前記指の動きを抑制しない状態に設定する制御部と、を備える。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
被写体にＸ線ビームを照射するＸ線源と、
前記Ｘ線源に対向配置され、前記被写体の透過Ｘ線を検出するＸ線検出器と、
前記Ｘ線検出器により検出された検出信号をＸ線画像に処理する処理部と、
前記Ｘ線画像を表示する表示部と、を備え、
前記処理部は、
撮影目的である第一の対象と第二の対象の位置を特定して両者を分離可能な前記Ｘ線ビームの回転角度範囲を算出し、前記回転角度範囲で前記Ｘ線源と前記Ｘ線検出器を移動させながら前記検出信号を取得し、得られた前記検出信号を処理して前記Ｘ線画像とする、
ことを特徴とするＸ線検査装置。
【請求項２】
請求項１記載のＸ線検査装置であって、
前記処理部は、
前記回転角度範囲を算出する際、前記第一の対象と第三の対象が重複しない前記Ｘ線ビームの範囲を算出する、
ことを特徴とするＸ線検査装置。
【請求項３】
請求項２記載のＸ線検査装置であって、
前記第一の対象が腫瘍であり、前記第二の対象がガイドシース先端であり、前記第三の対象が前記被写体の骨、或いはＸ線吸収の大きい臓器である、
ことを特徴とするＸ線検査装置。
【請求項４】
請求項２記載のＸ線検査装置であって、
前記処理部は、
前記撮影目的である第一の対象と前記第二の対象の位置を特定する際に、ほぼ直交するＸ線透視像を用いる、
ことを特徴とするＸ線検査装置。
【請求項５】
請求項２記載のＸ線検査装置であって、
前記処理部は、
前記第一の対象と前記第二の対象の位置を特定する際に磁気センサの出力情報を用いる、
ことを特徴とするＸ線検査装置。
【請求項６】
請求項２記載のＸ線検査装置であって、
前記処理部は、
前記第一の対象と前記第三の対象の位置を特定する際に、事前に撮影されたＣＴ画像を用いる、
ことを特徴とするＸ線検査装置。
【請求項７】
請求項２記載のＸ線検査装置であって、
前記処理部は、
取得した前記検出信号を用いて再構成処理を行い、トモシンセシス像を得る、
ことを特徴とするＸ線検査装置。
【請求項８】
請求項７記載のＸ線検査装置であって、
前記処理部は、
前記回転角度範囲の端に行くほど重みを小さくして前記再構成処理を行い、前記トモシンセシス像を得る、
ことを特徴とするＸ線検査装置。
【請求項９】
請求項２記載のＸ線検査装置であって、
前記処理部は、
取得した前記検出信号を用いて逐次再構成処理を行い、トモシンセシス像を得る、
ことを特徴とするＸ線検査装置。
【請求項１０】
Ｘ線検査装置の作動方法であって、
前記Ｘ線検査装置は、
トモシンセシス撮影モードにおいて、被写体にＸ線ビームを照射するＸ線源に対向配置され、前記被写体の透過Ｘ線を検出するＸ線検出器により検出された検出信号をＸ線画像に処理する際に、第一の対象と第二の対象の位置を特定して両者を分離可能な前記Ｘ線ビームの回転角度範囲を算出し、
前記回転角度範囲で前記Ｘ線源と前記Ｘ線検出器を移動させながら前記検出信号を検出し、
前記検出信号を処理してＸ線画像として表示部に表示する、
ことを特徴とするＸ線検査装置の作動方法。
【請求項１１】
請求項１０記載のＸ線検査装置の作動方法であって、
前記X線検査装置は、
前記回転角度範囲を算出する際に、前記第一の対象と第三の対象が重複しない範囲を算出する、
ことを特徴とするＸ線検査装置の作動方法。
【請求項１２】
請求項１１記載のＸ線検査装置の作動方法であって、
前記第一の対象が腫瘍であり、前記第二の対象がガイドシース先端であり、前記第三の対象が前記被写体の骨、或いはＸ線吸収の大きい臓器である、
ことを特徴とするＸ線検査装置の作動方法。
【請求項１３】
請求項１１記載のＸ線検査装置の作動方法であって、
前記Ｘ線検査装置は、
取得した前記検出信号を用いて再構成処理を行い、トモシンセシス像を得る、
ことを特徴とするＸ線検査装置の作動方法。
【請求項１４】
請求項１３記載のＸ線検査装置の作動方法であって、
前記Ｘ線検査装置は、
前記回転角度範囲の端に行くほど重みを小さくして前記再構成処理を行い、前記トモシンセシス像を得る、
ことを特徴とするＸ線検査装置の作動方法。
【請求項１５】
請求項１１記載のＸ線検査装置の作動方法であって、
前記Ｘ線検査装置は、
取得した前記検出信号を用いて逐次再構成処理を行い、トモシンセシス像を得る、
ことを特徴とするＸ線検査装置の作動方法。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
胴部材と、
前記胴部材の肩部に中間パーツを介して取り付けられる腕部材と、
前記胴部材に設けられた軸部材と、
を備え、
前記軸部材は取付部にて前記胴部材に取り付けられ、かつ、前記取付部から延びる支軸を有しており、
前記胴部材と前記中間パーツとは、前記支軸の先端に設けられるボール、及び前記中間パーツに設けられ、前記ボールを回動可能に収容する収容部を含むボールジョイントによって回動可能に連結されており、
前記ボールジョイントは、前記胴部材の幅方向に延びる中心線より前方の位置に設けられる人形玩具の肩関節構造。
【請求項２】
請求項１記載の肩関節構造を備える人形玩具。
【手続補正２】
【補正対象書類名】明細書
【補正対象項目名】０００６
【補正方法】変更
【補正の内容】
【０００６】
本発明に係る人形玩具の肩関節構造は、胴部材と、前記胴部材の肩部に中間パーツを介して取り付けられる腕部材と、を備え、前記胴部材と前記中間パーツとは、前記胴部材及び前記中間パーツのいずれか一方に設けられるボール、及び前記胴部材及び前記中間パーツのいずれか他方に設けられ、前記ボールを回動可能に収容する収容部を含むボールジョイントによって回動可能に連結されており、前記ボールジョイントは、前記胴部材の幅方向に延びる中心線より前方の位置に設けられることを特徴とする。また、本発明にかかる人形玩具の肩関節構造は、胴部材と、前記胴部材の肩部に中間パーツを介して取り付けられる腕部材と、前記胴部材に設けられた軸部材と、を備え、前記軸部材は取付部にて前記胴部材に取り付けられ、かつ、前記取付部から延びる支軸を有しており、前記胴部材と前記中間パーツとは、前記支軸の先端に設けられるボール、及び前記中間パーツに設けられ、前記ボールを回動可能に収容する収容部を含むボールジョイントによって回動可能に連結されており、前記ボールジョイントは、前記胴部材の幅方向に延びる中心線より前方の位置に設けられることを特徴とする。